(57)【要約】【課題】安価で軽く、環境に優しいダンボール板を生かして強度を有し、容易に組み立てることのできる組み立て式搬送容器を提供する【解決手段】ダンボール板を折り曲げて形成した蓋部１と側辺部２と底部３からなり、蓋部１は、方形のダンボール板の周辺を直角に折り曲げて頂面１１と一体に側面１２を形成し、側辺部２はダンボール板を長さ方向に沿って４つに折り曲げた角筒体で形成する。底部３には、脚部としての脚Ｐが設けられている方形の底板３１の隅角部に嵌合部３２を取り付けてある。嵌合部３２は、隅角部の両辺で、一部が底板３１に形成したきり欠き部を入り、底板３１より上に突出した突出部は、側辺部２と嵌合する面とし、下に突出した部位において、隅角にある脚を囲むように底板３１に取り付けられている。【選択図】　　　　図１
2004106860.tif 000002
【特許請求の範囲】
【請求項１】
ダンボール板を折り曲げてなる箱型の容器の蓋部と側辺部と底部とを組み立ててなり、
前記底部が、脚部を設けた底板と、底板の隅角部に設けられる嵌合部を備え、
前記脚部は、底板の隅角部を含む位置に取り付けられるとともに、底板の隅角部の両辺には、それぞれ切り欠き部が形成され、
前記嵌合部は、底板の隅角部の両辺で一部が切り欠き部に入り込むように取り付けるａ面、ｂ面を有し、ａ面、ｂ面は、底板の上下に突出し、その上部突出部が前記側辺部と嵌合する面とし、その下部にはｂ面から延びる面を近くの脚部を囲むように折り返し、ａ面と結合して取り付けられることを特徴とする組み立て式搬送容器。
【請求項２】
前記嵌合部のａ面、ｂ面の上部両側には、ｃ面、ｄ面がそれぞれ形成されており、取り付けるとき、ｃ面、ｄ面をそれぞれ内側に折り返すようにしたことを特徴とする請求項１に記載の組み立て式搬送容器
【発明の詳細な説明】
【０００１】
【発明の属する技術分野】
本発明は、ダンボール板などの折曲できる板を折り曲げて組み立ててなる強度を有する組み立て式搬送容器に関するものである。
【０００２】
【従来の技術】
コンテナなどの搬送容器は、木材、プラスチック、金属などを材料とするのが一般的であるが、これらの材料を使用することは重量が大となり、価格も高くなる。
また、木材は病害虫や含水分など問題があり、プラスチックや金属は廃棄処分の問題が発生する。
【０００３】
【発明が解決しようとする課題】
一方、ダンボール板あるいはその加工板は、安価で軽量にも関わらず耐衝撃性や断熱性に優れたものが開発されており、組み立てや解体が容易で、廃棄処分も簡単にできる。
しかしながら、特に重量物の搬送容器の材料としては、強度や剛性が十分でなく、荷物積載面の耐圧強度に問題があった。
【０００４】
【課題を解決するための手段】
このため、本発明は、安価で、軽く、環境にも優しいダンボール板の特性を生かして強度を有し、容易に組み立てることができ、かつリサイクル可能であり、また廃棄処理に適した組み立て式搬送容器を提供することを目的としている。
【０００５】
上記の目的を達成するために、本発明は以下のように構成した。
すなわち、本発明は、ダンボール板を折り曲げてなる箱型の容器の蓋部と側辺部と底部とを組み立ててなり、前記底部が、脚部を設けた底板と、底板の隅角部に設けられる嵌合部を備え、
脚部は、底板の隅角部を含む位置に取り付けられるとともに、底板の隅角部の両辺にはそれぞれ切り欠き部が形成され、
嵌合部は、底板の隅角部の両辺で一部が切り欠き部に入り込むように取り付けるａ面、ｂ面を有し、ａ面、ｂ面は、底板の上下に突出し、その上部突出部が前記側辺部と嵌合する面とし、その下部にはｂ面から延びる面を近くの脚部を囲むように折り返し、ａ面と結合して取り付ける組み立て式搬送容器である。
【０００６】
さらに、本発明は、嵌合部のａ面、ｂ面の上部両側には、ｃ面、ｄ面をそれぞれ形成し、取り付けるとき、ｃ面、ｄ面をそれぞれ内側に折り返すようにした組み立て式搬送容器。
【０００７】
【発明の実施の形態】
以下図面を参照して、本発明の実施の形態について説明する。
図１は、本発明が適用された組み立て式搬送容器の斜視図である。
組み立て式搬送容器は、ダンボール板を折り曲げて形成した箱型の容器の蓋部１と側辺部２と底部３からなる。
蓋部１は、方形のダンボール板の各辺を直角に折り曲げて形成した頂面１１と一体に側面１２を形成する。
【０００８】
側辺部２は、ダンボール板を長さ方向に沿って折り曲げた角筒体で形成する。
底部３には、方形の底板３１の隅角に、底板３１より上下に突出する嵌合部３２を取り付けてある。側辺部２の下端が嵌合部３２の上部突出部の内側に挿入され、側辺部２をこの底板３１の上側に一体に嵌合する。使用に際しては、紐などで蓋部１、側辺部２および底部３を梱包し脱落するのを防止する。
【０００９】
図２は底部３の構成を示す斜視図で、図３は裏返して底部３の下面を上にした斜視図である。
底板３１は、１枚のダンボールを図４に示すように、正方形ＡＢＣＤの各頂点が、一方の面の中心Ｏで合わされるように四隅を折返して２枚に重ねるようにしてある。このようにダンボール板を折り重ねた場合は、その目が互いに交差して底板３１の耐圧強度、せん断強度、曲げ強度が増大する。合わされた面は底板３１の下面としている。
【００１０】
底板３１の４つの隅角部と中心部および４辺の中点に図３に示すように、それぞれ底板３１を貫通した脚Ｐを打ち込んである。
脚Ｐは、図５には、筒体の上端面につばｄを有する雌雄一体のＴ型ピンＰ１、Ｐ２で構成し、雌雄のＴ型ピンＰ１、Ｐ２を嵌合して、つばｄの間に底板３１を挟み込み、上下２枚のダンボールを圧着する。
雌のＴ型ピンＰ１は、下端面を接地して底板３１にかかる荷重を支える脚部となる。
【００１１】
底板３１の隅角部には嵌合部３２を設け、この嵌合部３２は、一枚のダンボールを折り曲げ、底板３１の下面において近くの脚Ｐを囲むようにして底板３１と結合されている。
嵌合部３２は、上部において側辺部２と嵌合する上部突出部を形成し、下部においては荷重を支ええるとともに、角部の保護を行う。
【００１２】
次に底部３の詳細な構成を説明する。
図６は脚Ｐが打ち込まれた底板３１を示す斜視図で、図７は嵌合部３２の展開図である。
底板３１の各辺の隅角には、ダンボールの厚さに対応した切り欠き部３３を形成している。
【００１３】
嵌合部３２は、折り曲げ部で折り曲げて底板３１の隅角部に取り付けるが、中央にあるａ面、ｂ面の横幅方向中央に、両面にわたってダンボール２枚分の厚さに相当する幅の開口部４０を形成してある。ａ面、ｂ面のそれぞれの長さは、切り欠き部３３の遠方の一端と近くの隅角の頂点までの距離に対応しており、ａ面、ｂ面の開口部４０の両側にある部分が切り欠き部３３に入るように開口部４０の長さが設定されている。
【００１４】
ａ面、ｂ面の両側には、上部において折り曲げ部５１、５３を介して、ｃ面、ｄ面を形成し、下部においてはｂ面に連なるように、ｅ面、ｆ面、ｇ面を順次に形成してある。
ａ面、ｂ面は、折り曲げ部５２で９０度に折り曲げられるが、折り曲げ部５１、５３でｃ面、ｄ面がそれぞれ折り返されたときに、当たらないようにｃ面、ｄ面の長さが設定されている。
ｅ面、ｆ面、ｇ面は、近くにある脚Ｐを囲むように折り曲げ部５４、５５で折り返されるが、貫通穴４２と４３に脚を通し固定したときに、脱落しないように、それぞれの長さが設定されている。
ｄ面とｅ面およびｆ面の間に、開口部４０の幅分の隙間を有している。
【００１５】
図８は、嵌合部３２を底板に取り付けるときの様子を示す図である。
まず、ａ面、ｂ面を互いに９０度に折り曲げるとともに、ｄ面、ｃ面を折り返す。ａ面、ｂ面にある開口部４０に底板３１の隅角部を挿入し、ａ面、ｂ面の開口部４０の両側部分が切り欠き部３３に入るように整えてから、ｅ面、ｆ面、ｇ面が脚Ｐを囲むように折り曲げられる。最後に貫通穴４３と４２に止めピンを通して止めれば、底板３１への取り付けが完了する。このように底板３１の４つの隅角部に嵌合部３２を取り付ければ、底板３１が組み立てられる。
【００１６】
本発明を適用した組み立て式搬送容器は、以上のように構成され、使用する前は、蓋部１と側辺部２および底板３を別々で保管することができ、使用した後は、分解して搬送することができるから、保管や搬送にかかる手間とコストが低くなる。
実施例ではダンボール板を使用しているが、パルプボード、ハニカムボード、合板、ＭＤＦ、繊維板、コンパネ、樹脂板にても適用でき、また脚の形状も筒型に限らず角筒形状にも適用できる。
【００１７】
【発明の効果】
以上説明したように、本発明の組み立て式搬送容器は、ダンボール板を折り曲げ箱型の容器の蓋部と側辺部と底部を組み立て、底部には底板の隅角部に底板に嵌合し、底板上の脚部を囲むように嵌合部を取りつけられているから、十分強度を持ち、組み立てが簡単で、安価にして軽く環境にやさしいダンボール板を材料にした特に重量物の搬送容器を実現できる。
【図面の簡単な説明】
【図１】本発明が適用された組み立て式搬送容器の斜視図である。
【図２】底部３の構成を示す斜視図である。
【図３】裏返して底部３の下面を上にした斜視図である。
【図４】底板３１の折り曲げ方を示す図である。
【図５】締止ピンの斜視図である。
【図６】底板３１の斜視図である。
【図７】嵌合部３２の展開図である。
【図８】嵌合部３２を底板に取り付けるときの様子を示す図である。
【符号の説明】
１　　蓋部
２　　側辺部
３　　底部
１１　　頂面
１２　　側面
３１　　底板
３２　　嵌合部
３３　　切り欠き部
４０　　開口部
４２，４３　　貫通穴
５１，５２，５３，５４，５５　　折り曲げ部
ａ，ｂ，ｃ，ｄ，ｅ，ｆ，ｇ　　面
Ｐ　　脚
Ｐ１，Ｐ２　　締止ピン
【図１】
2004106860.tif 000003
【図２】
2004106860.tif 000004
【図３】
2004106860.tif 000005
【図４】
2004106860.tif 000006
【図５】
2004106860.tif 000007
【図６】
2004106860.tif 000008
【図７】
2004106860.tif 000009
【図８】
2004106860.tif 000010